(57)【要約】【課題】利用者の意志に反して視聴制限番組の音声が大音量で出力される事態を回避し得るテレビを提供する。【解決手段】放送信号に基づく番組の音声を出力する音声出力部（音声信号出力部１７、音量調整部１８およびスピーカ１９）と、音声出力部における音量調整部１８を制御する制御部２２とを備え、制御部２２は、番組が視聴制限番組であってその視聴制限番組の音声が設定音量を超えているときに、音量調整部１８を制御してその音声を設定音量に設定させる音量設定処理を実行する。【選択図】図１
2006313962.tif 000002
【特許請求の範囲】
【請求項１】
放送信号に基づく番組の音声を出力する音声出力部と、当該音声出力部を制御する制御部とを備え、
前記制御部は、前記番組が視聴制限番組であって当該視聴制限番組の音声が所定の音量を超えているときに、前記音声出力部を制御して当該音声を当該所定の音量に設定させる音量設定処理を実行するテレビ。
【請求項２】
前記制御部は、前記音量設定処理において前記視聴制限番組の音声の音量が前記所定の音量以下のときに当該音量を維持する請求項１記載のテレビ。
【請求項３】
前記制御部は、選局されているチャンネルにおいて前記視聴制限番組が開始されたとき、および視聴制限番組のチャンネルが選局されたときに前記音量設定処理を実行する請求項１または２記載のテレビ。
【発明の詳細な説明】
【技術分野】
【０００１】
本発明は、放送信号に基づく番組の音声を出力する音声出力部と、音声出力部を制御する制御部とを備えたテレビに関するものである。
【背景技術】
【０００２】
この種のテレビとして、特開２０００−１１５７２５号公報に開示されたテレビジョン受像器（以下、テレビともいう）が知られている。このテレビは、利用者が視聴を所望している番組の視聴制限のレベルが所定のレベルを超えているときにはその番組についての映像の表示および音声の出力を制限するように構成されている。また、このテレビは、視聴制限のレベルが所定のレベルを超えていたとしても上記の制限を行わずに映像の表示および音声の出力を許容する時間帯（非視聴制限時間帯）を設定可能に構成されている。これにより、非視聴制限時間帯に放送される番組については、視聴制限レベルが所定のレベルを超えていたとしても制限解除用のパスワードの入力操作（制限解除操作）を行うことなく視聴することができる。
【特許文献１】特開２０００−１１５７２５号公報（第３−４頁、第１図）
【発明の開示】
【発明が解決しようとする課題】
【０００３】
ところが、上記のテレビには、以下の問題点がある。すなわち、このテレビでは、予め設定した非視聴制限時間帯に放送される番組については、視聴制限のレベルが所定のレベルを超えていたとしても制限解除操作を行うことなく視聴することができるように構成されている。したがって、非視聴制限時間帯に視聴制限番組が開始したときには、映像の表示および音声の出力が制限されることなく、視聴が制限されていない通常番組を視聴していたときの音量で視聴制限番組の音声が出力される。このため、非視聴制限時間帯においてある程度大きめの音量で通常番組を視聴していたときに、視聴制限番組の一例として成人向け番組のように他人に聞かれたくない音声を含んでいる番組が開始されると、利用者の意志に反してその音声が大きめの音量で出力されるという不都合が生じることとなる。
【０００４】
本発明は、かかる問題点に鑑みてなされたものであり、利用者の意志に反して視聴制限番組の音声が大音量で出力される事態を回避し得るテレビを提供することを主目的とする。
【課題を解決するための手段】
【０００５】
上記目的を達成すべく本発明に係るテレビは、放送信号に基づく番組の音声を出力する音声出力部と、当該音声出力部を制御する制御部とを備え、前記制御部は、前記番組が視聴制限番組であって当該視聴制限番組の音声が所定の音量を超えているときに、前記音声出力部を制御して当該音声を当該所定の音量に設定させる音量設定処理を実行する。
【０００６】
このテレビでは、番組が視聴制限番組であって視聴制限番組の音声が設定音量を超えているときに、制御部が音声出力部を制御して音声を所定の音量に設定させる音量設定処理を実行することにより、視聴制限番組の一例として、他人に聞かれたくないような音声を含む番組が開始されるときには、その番組の音声を設定音量にまで自動的に低下させることができる。したがって、所定の音量を十分に小さな音量に予め設定しておくことで、通常番組を視聴するために大きめの音量で視聴していたとしても、視聴制限番組の開始時においてその番組の音声の音量が十分に小さな音量に自動的に設定されるため、視聴制限番組の音声が利用者の意志に反して周囲に漏れる事態を確実に回避することができる。
【０００７】
また、本発明に係るテレビは、上記の表示装置において、前記制御部は、前記音量設定処理において前記視聴制限番組の音声の音量が前記所定の音量以下のときに当該音量を維持する。
【０００８】
このテレビでは、制御部が、音量設定処理において視聴制限番組の音声の音量が所定の音量以下のときには出力されている音量を維持することにより、視聴制限番組の開始以前に十分に小さな音量に設定していたときには、視聴制限番組の開始時において利用者の意志に反して音量が逆に大きく設定されるという事態を招くことなく、小さな音量を維持することができる。
【０００９】
また、本発明に係るテレビは、上記の表示装置において、前記制御部は、選局されているチャンネルにおいて前記視聴制限番組が開始されたとき、および視聴制限番組のチャンネルが選局されたときに前記音量設定処理を実行する。
【００１０】
このテレビによれば、選局されているチャンネルにおいて視聴制限番組が開始されたとき、および視聴制限番組のチャンネルが選局されたときに制御部が音量設定処理を実行するため、視聴制限番組の音声が利用者の意志に反して周囲に漏れる事態を一層確実に回避することができる。
【発明を実施するための最良の形態】
【００１１】
以下、本発明に係るテレビの最良の形態について、添付図面を参照して説明する。図１に示すテレビ１は、本発明に係るテレビの一例であって、放送信号に含まれているレイティングデータに基づいて、その放送信号に対応する番組（テレビ番組）が視聴制限番組であると判別したときに、その番組の映像表示および音声出力が制限されるように構成されている。具体的には、テレビ１は、本体部２およびリモコン３を備えている。また、本体部２は、チューナ１１、プリセットデータ記憶部１２、選局処理部１３、映像音声処理部１４、映像信号出力部１５、表示部１６、音声信号出力部１７、音量調整部１８、スピーカ１９、設定記憶部２０、スイッチ操作処理部２１および制御部２２を備えている。
【００１２】
チューナ１１は、選局処理部１３の制御に従い、図外のアンテナで受信している放送波から放送信号を抽出して映像音声処理部１４に出力すると共に、この放送波からレイティングデータＤｒを抽出して制御部２２に出力する。この場合、レイティングデータＤｒは、番組に対して付されたレイティングレベルを特定可能な情報を含んで構成されている。したがって、選局されているチャンネルにおいてレイティングレベルの相違する番組が開始するときや、チャンネル切り換えによってレイティングレベルの相違する番組のチャンネルが選局されたときには、チューナ１１から出力されるレイティングデータＤｒのレイティングレベルが変化する。なお、以下の説明では、映像表示および音声出力を制限すべき度合いが高いほど（一例として、暴力的なシーンなどが含まれている割合が高いほど）レイティングレベルが高いものとする。プリセットデータ記憶部１２は、チャンネル番号と放送波の周波数とを対応付けたプリセットデータを記憶する。選局処理部１３は、制御部２２の制御に従い、指定されたチャンネル番号に対応する周波数をプリセットデータ記憶部１２に記憶されているプリセットデータに基づいて特定して、その周波数の放送信号を抽出させるようにチューナ１１を制御する。
【００１３】
映像音声処理部１４は、チューナ１１から出力される放送信号を信号処理して映像データおよび音声データを生成し、その映像データおよび音声データを映像信号出力部１５および音声信号出力部１７にそれぞれ出力する。映像信号出力部１５は、映像音声処理部１４から出力された映像データに対する映像処理を実行して表示用信号を生成して、表示部１６に出力する。表示部１６は、光学エンジンおよびスクリーンパネル等（図示せず）を備え、映像信号出力部１５から出力された表示用信号に基づく各種画像を表示する。具体的には、表示部１６は、出力された表示用信号に基づいて光変調した投射光をスクリーンパネルに背面側から投射することで各種画像をスクリーンパネルに表示する。この場合、上記の光学エンジンは、例えば、光源と、光変調素子（一例として、デジタルマイクロミラーデバイスや液晶ライトバルブ）と、投射レンズ（いずれも図示せず）とを備えて構成されている。
【００１４】
音声信号出力部１７は、音量調整部１８およびスピーカ１９と相俟って本発明における音声出力部を構成し、映像音声処理部１４から出力されている音声データに基づいて音声信号を生成して音量調整部１８に出力する。音量調整部１８は、制御部２２から出力された制御信号Ｓｃに従って、音声信号出力部１７から出力された音声信号を増幅してスピーカ１９に出力する。スピーカ１９は、音量調整部１８によって増幅された音声を出力する。設定記憶部２０は、設定音量データＤｖｓおよび制限レベルデータＤｒｌを記憶する。この場合、設定音量データＤｖｓは、本発明における所定の音量に相当する設定音量（後述する音量設定処理５０において視聴制限番組の音声を出力する際の音量）を特定可能な情報を含んで構成されている。制限レベルデータＤｒｌは、そのテレビ１において映像表示および音声出力を制限すべき番組の制限レベルを特定可能な情報を含んで構成されている。
【００１５】
スイッチ操作処理部２１は、受光部を備えて構成され、リモコン３から出力された赤外線信号を受光して光電変換することにより、リモコン３を用いて行われた操作内容を示す操作信号を制御部２２に出力する。制御部２２は、選局処理部１３、表示部１６および音量調整部１８を制御する。また、制御部２２は、図３に示す音量設定処理５０において、スピーカ１９から出力されている音声の音量（出力音量）が設定記憶部２０に記憶されている音声データＤｓの示す設定音量を超えているときには、出力音量を設定音量に設定する旨の制御信号Ｓｃを音量調整部１８に出力することによって音声出力を制限する。なお、制御部２２は、リモコン３を用いた操作によって映像表示および音声出力の制限を解除する暗証番号が入力されたときには、その制限を解除する。
【００１６】
リモコン３は、図２に示すように、本体部２とは別体に形成されている。また、リモコン３は、電源スイッチ４１、設定スイッチ４２、カーソルキー４３，４３・・、決定スイッチ４４および音量設定スイッチ４５，４５などの各種操作スイッチやキーが配列されて構成され、これらの操作スイッチが操作されたときに、各操作スイッチに対応する操作信号を赤外線信号に変換して出力する。
【００１７】
次に、テレビ１の全体的な動作について、図面を参照して説明する。このテレビ１の利用開始に際しては、まず、利用者が設定音量および制限レベルを設定する。この際には、まず、リモコン３の設定スイッチ４２を操作することにより、設定音量および制限レベルの設定画面（図示せず）を表示部１６のスクリーンパネルに表示させる。次いで、利用者が、リモコン３のカーソルキー４３や音量設定スイッチ４５などを操作して設定音量および制限レベルとしてそれぞれ所望の値を選択する。この際に、設定音量として、スピーカ１９から出力される音声が周囲に漏れる事態を回避し得る程度に小さい音量（例えば、最大音量「２０」中の「５」）を設定する。続いて、利用者が決定スイッチ４４を操作する。この際に、制御部２２が、設定画面において選択されている設定音量および制限レベルに基づいて設定音量データＤｖｓおよび制限レベルデータＤｒｌを生成して設定記憶部２０に記憶させる。これにより、設定音量および制限レベルの設定が完了する。
【００１８】
一方、上記の設定が完了している状態において、リモコン３の電源スイッチ４１が操作されて電源が投入された際には、制御部２２が、直前の電源切断時に選択されていたチャンネル（例えばチャンネルＣＨ１５１）を選局させるように選局処理部１３を制御する。これに応じて、選局処理部１３が、プリセットデータ記憶部１２に記憶されているプリセットデータに基づいてチャンネルＣＨ１５１に対応する周波数を特定して、その周波数の放送信号を抽出させるようにチューナ１１を制御する。この際に、チューナ１１は、選局処理部１３の制御に従ってチャンネルＣＨ１５１の放送信号を抽出して映像音声処理部１４に出力する。次いで、映像音声処理部１４が放送信号に基づく映像データおよび音声データを映像信号出力部１５および音声信号出力部１７にそれぞれ出力する。これに応じて、映像信号出力部１５は、映像データに基づく表示用信号を生成して表示部１６に出力する。これにより、図２に示すように、チャンネルＣＨ１５１のテレビ映像Ｐｔが表示部１６のスクリーンパネルに表示される。一方、音声信号出力部１７は、映像音声処理部１４から出力された音声データに基づいて音声信号を生成して音量調整部１８に出力する。また、音量調整部１８は、制御部２２から指示された音量となるように音声信号を増幅してスピーカ１９に出力する。この場合、制御部２２は、直前の電源切断時に設定されていた音量（例えば「１０」）を指示する制御信号Ｓｃを出力することによって音量調整部１８を制御する。これにより、スピーカ１９が、チャンネルＣＨ１５１の音声を「１０」の音量で出力する。
【００１９】
また、チャンネル切り換え操作によって他のチャンネルが選局された際には、制御部２２は、チューナ１１から出力されるレイティングデータＤｒおよび設定記憶部２０に記憶されている制限レベルデータＤｒｌに基づき、選局されたチャンネルで放送されている番組についての表示制限および音声出力制限を行うべきか否かを判別する。この際に、レイティングデータＤｒの示すレイティングレベルが制限レベルデータＤｒｌの示す制限レベルよりも高いときには、制御部２２は、映像信号出力部１５を制御して制限解除用の暗証番号の入力画面（図示せず）を表示部１６に表示させる。この際に、利用者によって予め規定された暗証番号が入力されたときには、制御部２２は、視聴制限番組についての映像表示および音声出力の制限を解除して、表示部１６による映像表示、およびスピーカ１９からの音声出力を再開させる。
【００２０】
一方、制限が解除されている状態において、選局されているチャンネルにおいてレイティングレベルの異なる他の番組が開始されるとき（番組開始時）や、レイティングレベルの異なる他の番組を放送しているチャンネルがチャンネル切り換えによって選局されたときには、チューナ１１から出力されているレイティングデータＤｒの示すレイティングレベルが変化する。この際に、制御部２２は、図３に示す音量設定処理５０を開始する。
【００２１】
この音量設定処理５０では、制御部２２が、まず、設定記憶部２０から制限レベルデータＤｒｌを読み込む。次いで、制御部２２は、チューナ１１から出力されているレイティングデータＤｒの示すレイティングレベルが制限レベルデータＤｒｌの示す制限レベルよりも高いか否かを判別する（ステップ５１）。なお、チューナ１１からは放送信号と同時にレイティングデータＤｒが出力されているため、レイティングレベルが制限レベルよりも高いかを判別することによってその放送信号に基づく番組がそのテレビ１で映像表示および音声出力を制限すべき視聴制限番組であるか否かを判別することができる。この際に、レイティングレベルが制限レベルよりも高いときには、制御部２２は、設定記憶部２０から設定音量（例えば「５」）を示す設定音量データＤｖｓを読み込む。次いで、制御部２２は、スピーカ１９の出力音量が設定音量を超えているか否かを判別する（ステップ５２）。
【００２２】
この際に、出力音量が例えば「１０」で設定音量が例えば「５」のとき（「番組が視聴制限番組であって視聴制限番組の音声が所定の音量を超えているとき」の一例）には、制御部２２は、音量調整部１８を制御して視聴制限番組の音声を設定音量に設定させる（ステップ５３）。具体的には、制御部２２は、音声信号出力部１７から出力される音声信号を設定音量の「５」に増幅させる旨の制御信号Ｓｃを音量調整部１８に出力する。これに応じて、音量調整部１８が、制御部２２から指示された音量の「５」となるように音声信号を増幅してスピーカ１９に出力し、スピーカ１９が、「５」の音量で音声信号を出力する。これにより、この音量設定処理５０が終了する。なお、音量設定処理５０の終了後において、利用者は、リモコン３の音量設定スイッチ４５を操作することによってスピーカ１９から出力される音声を所望の音量に改めて設定することができる。
【００２３】
一方、上記のステップ５１においてレイティングデータＤｒの示すレイティングレベルが制限レベルデータＤｒｌの示す制限レベルよりも低いと判別したとき、または、ステップ５２において出力音量が設定音量以下と判別したときには、制御部２２は、番組の音量を変化させることなく音量設定処理５０を終了する。したがって、この際には、スピーカ１９から出力されている音声の音量が維持される。
【００２４】
このように、このテレビ１では、番組が視聴制限番組であって視聴制限番組の音声が設定音量を超えているときに、制御部２２が音量調整部１８を制御して音声を設定音量に設定させる音量設定処理５０を実行することにより、視聴制限番組の一例として、他人に聞かれたくないような音声を含む番組が開始されるときには、その番組の音声を設定音量にまで自動的に低下させることができる。したがって、設定音量を十分に小さな音量に予め設定しておくことで、通常番組を視聴するために大きめの音量で視聴していたとしても、視聴制限番組の開始時においてその番組の音声の音量が十分に小さな音量に自動的に設定されるため、視聴制限番組の音声が利用者の意志に反して周囲に漏れる事態を確実に回避することができる。
【００２５】
また、このテレビ１では、制御部２２が、音量設定処理５０において視聴制限番組の音声の音量が設定音量以下のときに出力音量を維持することにより、視聴制限番組の開始以前に十分に小さな音量に設定していたときには、視聴制限番組の開始時において利用者の意志に反して音量が逆に大きく設定されるという事態を招くことなく、小さな音量を維持することができる。さらに、このテレビ１によれば、選局されているチャンネルにおいて視聴制限番組が開始されたとき、および視聴制限番組のチャンネルが選局されたときに制御部２２が音量設定処理５０を実行するため、視聴制限番組の音声が利用者の意志に反して周囲に漏れる事態を一層確実に回避することができる。
【００２６】
なお、本発明は、上記の構成に限定されない。例えば、リアプロジェクション型のテレビについて上記したが、液晶表示器、プラズマ表示器および有機ＥＬ表示器等の各種表示器を備えたテレビに本発明を適用することができる。この場合、本発明におけるテレビとしては、表示器とチューナとが別体に構成された各種テレビが含まれる。また、モニター（チューナを備えていない表示装置）に本発明を適用することもできる。また、上記のステップ５２において出力音量が設定音量以下と判別したときに、制御部２２が出力音量を設定音量（上記の例では「５」の音量）に設定する構成を採用することもできる。
【図面の簡単な説明】
【００２７】
【図１】テレビ１の構成を示すブロック図である。
【図２】テレビ１の正面図である。
【図３】音量設定処理５０のフローチャートである。
【符号の説明】
【００２８】
１  テレビ、２  本体部、３  リモコン、１４  映像音声処理部、１５  映像信号出力部、１６  表示部、１７  音声信号出力部、１８  音量調整部、１９  スピーカ、２０  設定記憶部、２１  スイッチ操作処理部、２２  制御部、Ｖｓ  設定音量
【図１】
2006313962.tif 000003
【図２】
2006313962.tif 000004
【図３】
2006313962.tif 000005